(57)【要約】  【課題】  使用性を向上するとともにスペースを有効利用できる冷蔵庫を提供する。  【解決手段】  冷蔵室２の下方に配された野菜室３を開閉する回動式のドア３ａの内面側に長ネギ等の長尺の野菜Ｖを収納する収納ポケット１０を設けた冷蔵庫１において、収納ポケット１０の側面に設けたレール１５の案内によって収納ポケット１０を上下に仕切って横設される仕切位置Ｃと、収納ポケット１０の正面に立設される退避位置Ａとの間を回動する仕切板２０を設けた。【選択図】      図５
2006084041.tif 000002
【特許請求の範囲】
【請求項１】
第１貯蔵室の前面を開閉するドアの内面側に、上面を開放して貯蔵物を収納する収納ポケットを設けた冷蔵庫において、前記収納ポケットを上下に仕切る仕切板を設けたことを特徴とする冷蔵庫。
【請求項２】
第１貯蔵室を第２貯蔵室の下方に配置し、前記収納ポケットを縦長に形成したことを特徴とする請求項１に記載の冷蔵庫。
【請求項３】
第１貯蔵室が野菜室から成ることを特徴とする請求項２に記載の冷蔵庫。
【請求項４】
前記仕切板は、前記収納ポケットを上下に仕切る仕切位置と、前記仕切位置から退避する退避位置との間を移動することを特徴とする請求項１〜請求項３のいずれかに記載の冷蔵庫。
【請求項５】
前記仕切位置の前記仕切板よりも下方を開口する開口部を前記収納ポケットの正面に設けたことを特徴とする請求項４に記載の冷蔵庫。
【請求項６】
前記仕切板は前記退避位置で前記収納ポケットの正面に立設され、前記開口部を塞ぐことを特徴とする請求項５に記載の冷蔵庫。
【請求項７】
前記仕切板の両側面の各２箇所に突設される摺動子と、前記収納ポケットの両側面に凹設された溝から成るとともに前記摺動子が嵌合して前記仕切板を摺動案内するレールとを備え、前記レールは前記収納ポケットの手前に配されて上下方向に延びる第１溝部と、第１溝部に連続して前後方向に延びる第２溝部とから成ることを特徴とする請求項４〜請求項６のいずれかに記載の冷蔵庫。
【請求項８】
前記仕切位置で奥側に配される前記摺動子の直径が手前側に配される前記摺動子の直径よりも大きいことを特徴とする請求項７に記載の冷蔵庫。
【請求項９】
第１溝部の下端部の溝幅が第１溝部の上部の溝幅よりも狭いことを特徴とする請求項８に記載の冷蔵庫。
【請求項１０】
前記仕切位置に配された前記仕切板の奥側の前記摺動子を係止する突起部を第２溝部の下面に突設したことを特徴とする請求項７〜請求項９のいずれかに記載の冷蔵庫。
【発明の詳細な説明】
【技術分野】
【０００１】
本発明は、ドアの内面側に収納ポケットを有した冷蔵庫に関する。
【背景技術】
【０００２】
従来の冷蔵庫は特許文献１に開示されている。図９はこの冷蔵庫を示す正面図である。冷蔵庫１は上部に冷蔵室２が設けられ、下部に野菜室３と冷凍室４とが左右に並んで設けられる。野菜室３は冷凍室４から離れた側で枢支される回動式のドア３ａにより開閉される。冷凍室４は野菜室３から離れた側で枢支される回転式のドア４ａ、４ｂが上下に設けられ、ドア４ａ、４ｂにより前面が開閉される。左右のドア３ａと、ドア４ａ、４ｂとによって冷蔵庫１の下部は観音開きになっている。
【０００３】
野菜室３のドア３ａの内面側には長ネギやセロリ等の長尺の野菜Ｖを立てたまま収納できる縦長の収納ポケット１０が設けられている。これにより、野菜Ｖを自然に生えているままの姿勢で貯蔵でき、新鮮な状態で長期間保存することができる。
【特許文献１】特開２００３−７５０５５号公報（第４頁−第５頁、第２図）
【発明の開示】
【発明が解決しようとする課題】
【０００４】
しかしながら、上記従来の冷蔵庫１によると、収納ポケット１０が深いため調理して短くなった野菜Ｖを取り出しにくく、使用性が悪くなる問題があった。また、収納ポケット１０に短くなった野菜Ｖを収納することにより収納ポケット１０内のスペースが無駄になる問題もあった。
【０００５】
本発明は、使用性を向上するとともにスペースを有効利用できる冷蔵庫を提供することを目的とする。
【課題を解決するための手段】
【０００６】
上記目的を達成するために本発明は、第１貯蔵室の前面を回動して開閉するドアの内面側に、上面を開放して貯蔵物を収納する収納ポケットを設けた冷蔵庫において、前記収納ポケットを上下に仕切る仕切板を設けたことを特徴としている。この構成によると、長尺の貯蔵物が収納ポケット内に収納される。調理等によって短くなった貯蔵物は、仕切板で上下に仕切られた収納ポケットの下段または上段に収納される。
【０００７】
また本発明は、上記構成の冷蔵庫において、第１貯蔵室を第２貯蔵室の下方に配置し、前記収納ポケットを縦長に形成したことを特徴としている。この構成によると、第１貯蔵室は下方に配され、縦長の収納ポケットに収納された長尺の貯蔵物は上部を把持して取り出される。
【０００８】
また本発明は、上記構成の冷蔵庫において、第１貯蔵室が野菜室から成ることを特徴としている。この構成によると、長ネギやセロリ等の長尺の野菜が収納ポケットに収納される。
【０００９】
また本発明は、上記構成の冷蔵庫において、前記仕切板は、前記収納ポケットを上下に仕切る仕切位置と、前記仕切位置から退避する退避位置との間を移動することを特徴としている。この構成によると、仕切板を退避位置に配置して長尺の貯蔵物が収納ポケットに収納され、仕切板を仕切位置に配置して短くなった貯蔵物が収納ポケットに収納される。
【００１０】
また本発明は、上記構成の冷蔵庫において、前記仕切位置の前記仕切板よりも下方を開口する開口部を前記収納ポケットの正面に設けたことを特徴としている。この構成によると、収納ポケットを上下に仕切った時に開口部を介して下段の貯蔵物が出入される。
【００１１】
また本発明は、上記構成の冷蔵庫において、前記仕切板は前記退避位置で前記収納ポケットの正面に立設され、前記開口部を塞ぐことを特徴としている。この構成によると、仕切板は仕切位置から退避して開口部を塞ぐ。
【００１２】
また本発明は、上記構成の冷蔵庫において、前記仕切板の両側面の各２箇所に突設される摺動子と、前記収納ポケットの両側面に凹設された溝から成るとともに前記摺動子が嵌合して前記仕切板を摺動案内するレールとを備え、前記レールは前記収納ポケットの手前に配されて上下方向に延びる第１溝部と、第１溝部に連続して前後方向に延びる第２溝部とから成ることを特徴としている。
【００１３】
この構成によると、仕切板の両側面には長手方向の２箇所にそれぞれボスやローラーから成る摺動子が突設される。収納ポケットの側面には上下に延びる第１溝部と前後に延びる第２溝部から成るＬ字型のレールが設けられる。摺動子がレールに嵌合して案内されることにより、仕切板は横設される仕切位置と立設される退避位置との間を回動する。
【００１４】
また本発明は、上記構成の冷蔵庫において、前記仕切位置で奥側に配される前記摺動子の直径が手前側に配される前記摺動子の直径よりも大きいことを特徴としている。この構成によると、仕切位置で奥側に配されるとともに退避位置で上方に配される摺動子がレールによって所定の隙間で摺動案内され、仕切板が移動する。
【００１５】
また本発明は、上記構成の冷蔵庫において、第１溝部の下端部の溝幅が第１溝部の上部の溝幅よりも狭いことを特徴としている。この構成によると、仕切板を退避位置に配置すると直径の小さい下方の摺動子は前後方向の隙間が小さい状態で支持される。
【００１６】
また本発明は、上記構成の冷蔵庫において、前記仕切位置に配された前記仕切板の奥側の前記摺動子を係止する突起部を第２溝部の下面に突設したことを特徴としている。この構成によると、仕切板は摺動子が突起部を乗り越えて仕切位置に配置され、仕切位置で保持される。
【発明の効果】
【００１７】
本発明によると、収納ポケットを上下に仕切る仕切板を設けたので、短くなった貯蔵物を仕切板により仕切られた上段または下段に収納することができる。従って、収納ポケットのスペースを有効利用できるとともに、上段に配した貯蔵物を容易に取り出すことができる。
【００１８】
また本発明によると、第１貯蔵室が第２貯蔵室の下方に配置され、下方の第１貯蔵室を開閉するドアの収納ポケットが縦長に形成されるので、収納ポケットに収納された長尺の貯蔵物を容易に取り出すことができる。
【００１９】
また本発明によると、第１貯蔵室が野菜室から成るので、長ネギやセロリ等の長尺の野菜を自然に生えているままの姿勢で貯蔵して新鮮な状態で長期間保存することができる。
【００２０】
また本発明によると、仕切板が収納ポケットを上下に仕切る仕切位置と、仕切位置から退避する退避位置との間を移動するので、貯蔵物の長さに応じて簡単に収納ポケットを仕切ることができるとともに、仕切板の紛失を防止することができる。
【００２１】
また本発明によると、収納ポケットの正面に開口部を設けたので、仕切板で仕切られた下段に開口部を介して容易に貯蔵物を収納することができる。
【００２２】
また本発明によると、退避位置の仕切板により開口部を塞ぐので、貯蔵物が開口部から飛び出すことを防止することができる。
【００２３】
また本発明によると、第１、第２溝部から成るＬ字型のレールを収納ポケットに凹設し、レールに嵌合して摺動する摺動子を仕切板に突設したので、仕切位置と退避位置との間を移動する仕切板を容易に実現することができる。
【００２４】
また本発明によると、仕切位置で奥側に配される摺動子の直径が手前側に配される摺動子の直径よりも大きいので、レールは仕切位置で奥側に配される摺動子を小さい隙間で摺動案内して仕切板が回動する。これにより、仕切位置で奥側に配される摺動子とレールとの間を適正な隙間にするだけでよく、仕切位置で手前側に配される摺動子の直径の公差を大きくすることができる。従って、レールの案内により回動する仕切板を簡単に製造することができる。
【００２５】
また本発明によると、第１溝部の下端部の溝幅が第１溝部の上部の溝幅よりも狭いので、退避位置に配された仕切板のがたつきを防止することができる。
【００２６】
また本発明によると、仕切位置に配された仕切板の奥側の摺動子を係止する突起部を第２溝部の下面に突設したので、仕切位置に配された仕切板のがたつきを防止することができる。
【発明を実施するための最良の形態】
【００２７】
以下に本発明の実施形態を図面を参照して説明する。図１は一実施形態の冷蔵庫を示す正面図である。説明の便宜上、前述の図９に示す従来例と同一の部分は同一の符号を付している。冷蔵庫１は上部に冷蔵室２が設けられ、下部に野菜室３と冷凍室４とが左右に並んで設けられる。野菜室３は冷凍室４から離れた側で枢支される回動式のドア３ａにより開閉される。冷凍室４は野菜室３から離れた側で枢支される回転式のドア４ａ、４ｂが上下に設けられ、ドア４ａ、４ｂにより前面が開閉される。左右のドア３ａと、ドア４ａ、４ｂとによって冷蔵庫１の下部は観音開きになっている。
【００２８】
野菜室３のドア３ａの内面側には縦長の収納ポケット１０が設けられる。収納ポケット１０の正面には開口部１３が形成されている。尚、同図に示す開口部１３及び仕切板２０はドア３ａの背面側に配置されるが、収納ポケット１０の記述に関してはドア３ａを閉じた状態で野菜室３内から見た側を正面としている。
【００２９】
図２は野菜室３のドア３ａの側面図を示している。収納ポケット１０の両側面には上下に３箇所の孔部１２が形成され、ドア３ａの内側面には突部８が設けられる。突部８に孔部１２が嵌合して収納ポケット１０がドア３ａに取り付けられている。収納ポケット１０は上面が開放され、長ネギ、セロリ、スイートコーン、春菊、アスパラガス等の長尺の野菜Ｖを立てたまま収納できる。これにより、野菜Ｖを自然に生えているままの姿勢で貯蔵でき、新鮮な状態で長期間保存することができる。
【００３０】
図３、図４は仕切板２０を示す平面図及び側面図である。仕切板２０は板状の樹脂成形品から成り、両側面にはそれぞれ２箇所に断面円形のボス２１、２２が突設されている。ボス２１、２２の断面形状は多角形でもよい。収納ポケット１０にはボス２１、２２と嵌合するレール１５（図２参照）が設けられている。
【００３１】
図５は仕切板２０とレール１５の関係を示す詳細図である。レール１５は収納ポケット１０の両側面に凹設された溝から成っている。また、レール１５は収納ポケット１０の手前側に配された上下方向に延びる第１溝部１６と、第１溝部１６の上端に連続して前後方向に延びる第２溝部１７とを有したＬ字型に形成されている。
【００３２】
これにより、ボス２１、２２がレール１５に摺動案内され、仕切板２０が図中、Ａ、Ｂに示すように回動する。尚、ボス２１、２２はレール１５に摺動案内される摺動子であればよく、ボス２１、２２に替えてローラーから成る摺動子を設けてもよい。
【００３３】
仕切板２０は第１溝部１６の下端にボス２１が当接した状態で収納ポケット１０の手前側に立設した退避位置Ａに配置される。これにより、開口部１３（図１参照）の一部が仕切板２０により塞がれ、収納ポケット１０に収納された長尺の野菜Ｖの飛び出しを防止することができる。
【００３４】
使用者により開口部１３を介して仕切板２０を把持して回動すると、図６に示すように仕切板２０は横設された仕切位置Ｃに配置される。この時、ボス２２が第２溝部１７の下面に突設した突起部１８を乗り越えて第２溝部１７の奥側の端部に当接する。突起部１８はボス２２を係止して仕切位置Ｃに配された仕切板２０のがたつきを防止する。
【００３５】
図７は仕切板２０を仕切位置Ｃに配置した状態を示すドア３ａの側面図である。収納ポケット１０は仕切板２０によって上下に仕切られ、調理によって短くなった野菜Ｖが上段１０ａに収納される。また、下段１０ｂには開口部１３を介してペットボトルＰ等の貯蔵物が収納される。従って、上段１０ａが浅くなるため短くなった野菜Ｖを容易に取り出すことができるとともに、下段１０ｂのスペースを有効利用することができる。
【００３６】
また、開口部１３が仕切位置Ｃの仕切板２０よりも下方を開口することによって下段１０ｂの貯蔵物を容易に出し入れすることができる。更に、開口部１３によって仕切位置Ｃの仕切板２０よりも上方を開口することにより、仕切板２０を容易に把持して回動することができる。この時、図８に示すように、仕切板２０の前端に上方に延びた前壁２０ａを設けると、上段１０ａに収納した貯蔵物の落下を防止することができるのでより望ましい。
【００３７】
前述の図５、図６において、仕切位置Ｃで奥側に配されるボス２２の直径ｄ２（図２参照）は手前側に配されるボス２１の直径ｄ１（図２参照）よりも大きくなっている。このため、仕切板２０はボス２２とレール１５との間に所定の摺動隙間を有して案内される。これにより、ボス２２とレール１５との間を適正な隙間にするだけでよく、ボス２１の直径ｄ１の公差を大きくすることができる。従って、レール１５の案内により回動する仕切板２０を簡単に製造することができる。
【００３８】
また、ボス２２の直径ｄ２がボス２１の直径ｄ１よりも大きいため、第２溝部１７は水平に対して奥側（収納ポケット１０の正面から離れた側）が下がっている。これにより、ボス２１、２２の下端がレール１５の下面に当接して仕切位置Ｃの仕切板２０が水平に配置される。第２溝部１７を水平に設けて、ボス２１、２２の中心を結ぶ線を仕切位置Ｃに配された仕切板２０の上面に対して傾斜してもよい。
【００３９】
また、第１溝部１６の下端部１６ａは第１溝部１６の上部よりも溝幅が狭くなっている。このため、仕切板２０を退避位置Ａに配した時に、下方のボス２１が狭い隙間を有して下端部１６ａに嵌合する。従って、退避位置Ａに配された仕切板２０のがたつきを防止することができる。
【００４０】
本実施形態において、収納ポケット１０を野菜室３に設けているが、冷蔵室や冷凍室に設けて長尺の貯蔵物を収納してもよい。これにより、長尺の貯蔵物がない時に仕切板２０を仕切位置Ｃに配置してスペースを有効利用することができる。また、収納ポケット１０を引き出し式のドアの内面に設けてもよい。
【産業上の利用可能性】
【００４１】
本発明によると、長尺の貯蔵物を収納する深い収納ポケットをドアの内面側に有した冷蔵庫に利用することができる。
【図面の簡単な説明】
【００４２】
【図１】本発明の実施形態の冷蔵庫を示す正面図
【図２】本発明の実施形態の冷蔵庫の野菜室のドアを示す側面図
【図３】本発明の実施形態の冷蔵庫の仕切板を示す平面図
【図４】本発明の実施形態の冷蔵庫の仕切板を示す側面図
【図５】本発明の実施形態の冷蔵庫の仕切板の動作を説明する側面図
【図６】本発明の実施形態の冷蔵庫の仕切板の動作を説明する側面図
【図７】本発明の実施形態の冷蔵庫の野菜室のドアを示す側面図
【図８】本発明の実施形態の冷蔵庫の仕切板の他の態様を示す側面図
【図９】従来の冷蔵庫を示す正面図
【符号の説明】
【００４３】
１    冷蔵庫
２    冷蔵室
３    野菜室
３ａ、４ａ、４ｂ  ドア
４    冷凍室
１０    収納ポケット
１０ａ  上段
１０ｂ  下段
１３    開口部
１５    レール
１６    第１溝部
１６ａ  下端部
１７    第２溝部
１８    突起部
２０    仕切板
２１、２２  ボス（摺動子）
【図１】
2006084041.tif 000003
【図２】
2006084041.tif 000004
【図３】
2006084041.tif 000005
【図４】
2006084041.tif 000006
【図５】
2006084041.tif 000007
【図６】
2006084041.tif 000008
【図７】
2006084041.tif 000009
【図８】
2006084041.tif 000010
【図９】
2006084041.tif 000011